(57)【特許請求の範囲】
【請求項１】
枠体と、前記枠体に対して開閉可能に配設した障子と、
前記枠体に配設し、前記障子と係合することにより前記障子の開閉動作を制御する開閉制御装置と
を備えた建具であって、
前記枠体と前記障子との間には、前記障子を閉じた場合に前記障子及び前記枠体の間の四周に介在して第１の空間と第２の空間との間を仕切るとともに、前記第２の空間から前記第１の空間への止水を行う止水材が設けられており、
前記枠体を構成する上枠には、互いに見込み方向に並設される第１見付けヒレ部及び第２見付けヒレ部が設けられ、
前記開閉制御装置は、前記第１の空間に含まれ、かつ少なくとも前記障子を構成する上框の見付け面に係合するように前記上枠に配設されるとともに、前記開閉制御装置及び前記上框が、前記第１見付けヒレ部及び前記第２見付けヒレ部の互いに並設される部分の間に配設されていることを特徴とする建具。
【請求項２】
前記上枠は、前記上框に対向する部位に開口するように構成した上枠本体部と、前記上枠本体部の開口を閉塞するように前記上枠本体部に着脱可能に配設したカバー部とを有しており、
前記開閉制御装置は、前記カバー部に取り付けられていることを特徴とする請求項１に記載の建具。
【請求項３】
前記上枠の下端部には、前記上框に向けて水平方向に突出したカバーヒレ部が設けられていることを特徴とする請求項１に記載の建具。
【請求項４】
枠体と、前記枠体に対して開閉可能に配設した障子と、
前記枠体に配設し、前記障子と係合することにより前記障子の開閉動作を制御する開閉制御装置と
を備えた建具であって、
前記枠体と前記障子との間には、前記障子を閉じた場合に前記障子及び前記枠体の間の四周に介在して第１の空間と第２の空間との間を仕切るとともに、前記第２の空間から前記第１の空間への止水を行う止水材が設けられており、
前記枠体を構成する上枠は、上方上枠部及び下方上枠部を有し、かつこれら上方上枠部及び下方上枠部の間に前記第１の空間と前記第２の空間との間を連通する通気通路を有したものであり、
前記開閉制御装置は、前記第１の空間に含まれ、かつ少なくとも前記障子を構成する上框の見付け面に係合するように前記下方上枠部に配設されていることを特徴とする建具。
【請求項５】
前記下方上枠部及び前記上框は、互いに見込み方向に沿って並設される並設部分を有し、
前記開閉制御装置は、前記下方上枠部の並設部分に配設されていることを特徴とする請求項４に記載の建具。
【請求項６】
前記上枠の下端は、前記上框の下端以下の高さに配置されていることを特徴とする請求項１または請求項５に記載の建具。
【発明の詳細な説明】
【技術分野】
【０００１】
本発明は、開閉制御装置を備えた建具に関するものである。
【背景技術】
【０００２】
枠体に対して障子が開閉可能に支持された建具では、枠体と建具との間にオートクローズ装置、ソフトクローズ装置、ブレーキ装置等の開閉制御装置が設けられているものがある。オーロクローズ装置とは、開いた障子を所定の位置まで閉じると、以降、手を離しても全閉位置まで障子を移動するように機能するものである。ソフトクローズ装置とは、障子を勢いよく閉じた場合にも障子の移動を減速し、減速した速度で全閉位置まで障子を移動するように機能するものである。ブレーキ装置とは、障子を勢いよく閉じた場合に全閉位置の手前で障子に制動を加えるように機能するものである。
【０００３】
オートクローズ装置を備えた建具としては、例えば枠体の上枠にスライド体を設ける一方、障子の上框に係合ピンを設けるようにしたものがある。スライド体は、バネによって常時閉方向に付勢されているとともに、上下に沿った軸心回りに回転可能に配設されている。
【０００４】
この建具では、障子が閉じている場合にスライド体に係合ピンが係合されている。この状態から障子を開くと、バネの付勢力に抗してスライド体が係合ピンとともに開方向に移動する。スライド体が所定の位置まで移動すると、スライド体が係合方向に回転することによって上枠に係合し、バネの付勢力に抗してその位置が維持されるとともに、係合ピンとの係合状態が解除される。この結果、障子とともに係合ピンのみが移動して障子が全開状態となる。
【０００５】
上述の状態から障子を閉じる方向に移動すると、係合ピンが当接することによってスライド体が非係合方向に回転し、上枠との係合状態が解除されるとともに、再びスライド体に係合ピンに係合した状態となる。従って、障子から手を離した状態においてもバネの付勢力によって障子が全閉状態まで閉じられることになる（例えば、特許文献１参照）。
【先行技術文献】
【特許文献】
【０００６】
【特許文献１】特開２００７−１５４５４８号公報
【発明の概要】
【発明が解決しようとする課題】
【０００７】
ところで、上述した建具では、スライド体と係合ピンとを係合させるには、係合ピンを上框の上面よりも上方に突出させる必要がある。特許文献１に記載されているように、枠体に対して障子がスライドする引戸にあっては、いわゆるケンドン式で枠体に障子を配設するようにしている。従って、上枠の内部には、係合ピンが突出した状態にある上框を上方に移動できるだけのスペースを確保する必要があり、上枠の見付け方向に沿った寸法を増大せざるを得ない。開き戸の場合であっても、障子が閉じた場合に上框から突出する係合ピンを収容するためのスペースが上枠に必要になるのは同様である。なお、こうした問題は、上枠にオートクローズ装置を備えた建具に限らず、上述したソフトクローズ装置やブレーキ装置等のように、障子と係合することによって障子の開閉動作を制御するように機能する開閉制御装置を備えたものであれば同様に生じ得るものである。
【０００８】
本発明は、上記実情に鑑みて、枠体の見付け方向に沿った寸法を増大させることなく、障子の開閉動作を制御することのできる建具を提供することを目的とする。
【課題を解決するための手段】
【０００９】
上記目的を達成するため、本発明に係る建具は、枠体と、前記枠体に対して開閉可能に配設した障子と、前記枠体に配設し、前記障子と係合することにより前記障子の開閉動作を制御する開閉制御装置とを備えた建具であって、前記枠体と前記障子との間には、前記障子を閉じた場合に前記障子及び前記枠体の間の四周に介在して第１の空間と第２の空間との間を仕切るとともに、前記第１の空間から前記第２の空間への止水を行う止水材が設けられており、前記開閉制御装置は、前記第２の空間に含まれ、かつ少なくとも前記障子の見付け面に係合するように前記枠体に配設されていることを特徴とする。
【００１０】
この発明によれば、開閉制御装置が障子の見付け面に係合するように枠体に配設されているため、障子から外周方向に突出するような部材を設ける必要がない。従って、枠体にも部材を収容するためのスペースが不要となり、枠体の寸法を増大させることなく障子の開閉動作を制御することが可能となる。しかも、開閉制御装置は、枠体、障子及び止水材によって仕切られた第２の空間に含まれる部分に配設されているため、例えば、第１の空間が浴室で第２の空間が脱衣室となるような状況であっても、開閉制御装置が浴室の水や水蒸気によって故障する事態が招来されるおそれがない。
【００１１】
また本発明は、上述した建具において、前記枠体及び前記障子は、互いに見込み方向に沿って並設される並設部分を有し、前記開閉制御装置は、前記枠体の並設部分に配設されていることを特徴とする。
【００１２】
この発明によれば、開閉制御装置が枠体において障子と並設される並設部分に配設されるため、障子に対して開閉制御装置を容易に係合させることが可能である。
【００１３】
また本発明は、上述した建具において、前記枠体を構成する上枠の並設部分は、前記障子を構成する上框の並設部分よりも前記第２の空間に近接して配置され、前記開閉制御装置は、前記上框の並設部分に係合するように前記上枠の並設部分に配設されていることを特徴とする。
【００１４】
この発明によれば、上框に対して上枠の並設部分が第２空間に近接して配置され、上枠の並設部分に配設した開閉制御装置が上框の見付け面に係合する。
【００１５】
また本発明は、上述した建具において、前記上枠の下端は、前記上框の下端以下の高さに配置されていることを特徴とする。
【００１６】
この発明によれば、第２の空間においては、上枠によって障子の上框が覆い隠されるためスッキリとしたデザインとなり、外観品質を向上させることができる。
【００１７】
また本発明は、上述した建具において、前記上枠の並設部分は、前記上框の並設部分に対向する部位に開口するように構成した上枠本体部と、前記上枠本体部の開口を閉塞するように前記上枠本体部に着脱可能に配設したカバー部とを有しており、前記開閉制御装置は、前記カバー部に取り付けられていることを特徴とする。
【００１８】
この発明によれば、カバー部に開閉制御装置を取り付けるようにしているため、カバー部を上枠本体部に対して着脱させることにより、開閉制御装置のメインテナンスを容易に行うことが可能となる。
【００１９】
また本発明は、上述した建具において、前記上枠の並設部分の下端部には、前記上框の並設部分に向けて水平方向に突出したカバーヒレ部が設けられていることを特徴とする。
【００２０】
この発明によれば、互いに並設した上枠の並設部分と上框の並設部分との隙間を小さくすることができ、開閉制御装置が視認しにくくなる等、外観品質の向上を図ることができる。
【発明の効果】
【００２１】
本発明によれば、開閉制御装置が障子の見付け面に係合するように枠体に配設されているため、障子から外周方向に突出するような部材を設ける必要がない。従って、枠体にも部材を収容するためのスペースが不要となり、枠体の寸法を増大させることなく障子の開閉動作を制御することが可能となる。しかも、開閉制御装置は、枠体、障子及び止水材によって仕切られた第２の空間に含まれる部分に配設されているため、例えば、第１の空間が浴室で第２の空間が脱衣室となるような状況であっても、開閉制御装置が浴室の水や水蒸気によって故障する事態が招来されるおそれがない。
【図面の簡単な説明】
【００２２】
【図１】図１は、本発明の実施の形態１である建具を浴室側から見た図である。
【図２】図２は、図１におけるＸ−Ｘ線断面図である。
【図３】図３は、図１に示した建具において障子が開いた状態の横断面図である。
【図４】図４は、図１に示した建具において障子が開いた状態で枠体のみを切断した横断面図である。
【図５】図５は、図１に示した建具において障子が閉じた状態で枠体のみを切断した横断面図である。
【図６】図６は、本発明の実施の形態２である建具を浴室側から見た図である。
【図７】図７は、図６に示した建具の縦断面図である。
【図８】図８は、図６に示した建具の横断面図である。
【図９】図９は、図６に示した建具の要部を拡大した縦断面図である。
【図１０】図１０は、図６に示した建具において障子が開いた状態で枠体のみを切断した横断面図である。
【図１１】図１１は、図６に示した建具において障子が閉じた状態で枠体のみを切断した横断面図である。
【発明を実施するための形態】
【００２３】
以下、添付図面を参照しながら本発明に係る建具の好適な実施の形態について詳細に説明する。
【００２４】
（実施の形態１）
図１〜図５は、本発明の実施の形態１である建具を示したものである。ここで例示する建具は、脱衣室（第１の空間）と浴室（第２の空間）との間の出入口に設置される浴室用の片引き戸であり、枠体１０の内部に可動障子２０及び固定障子３０を備えている。枠体１０は、左右の縦枠１１，１２の見込み方向に沿った互いに対向する面１１ａ，１２ａの上端部間に上枠１３を設けるとともに、下端部間に下枠１４を設けることによって矩形状に構成したものである。
【００２５】
ここで、本明細書で用いる「見込み方向」とは、図中の矢印Ａで示すように、建具の奥行きに沿った方向である。見込み方向に沿った面については、「見込み面」と称する場合がある。また、「見付け方向」とは、上枠１３及び下枠１４等のように水平方向に沿って延在するものの場合、見込み方向に直交した上下に沿う方向である。縦枠１１，１２等のように上下方向に沿って延在するものの場合には、見込み方向に直交した水平に沿う方向を「見付け方向」という。見付け方向に沿った面については、「見付け面」と称する場合がある。枠や框の長手とは、それぞれを押し出し成形する場合の押し出し方向に一致した方向である。
【００２６】
可動障子２０は、透明樹脂やガラス等の透光性を有した矩形状を成す面材２１と、面材２１の四周に装着した上框（障子２０の並設部分）２２、下框２３及び左右の縦框２４，２５とを備えて構成してある。同様に、固定障子３０は、透明樹脂やガラス等の透光性を有した矩形状を成す面材３１と、面材３１の四周に装着した上框３２、下框３３及び左右の縦框３４，３５とを備えて構成したものである。
【００２７】
本実施の形態１では、可動障子２０及び固定障子３０を左右に並設した場合に、枠体１０の開口を塞ぐことができるように枠体１０、可動障子２０及び固定障子３０の外形寸法が設定してある。図１に示すように、この建具では、浴室側から見て枠体１０の向かって左側、かつ脱衣室側に固定障子３０が固定してあり、枠体１０の向かって右側に構成される枠開口１０Ａが浴室側の可動障子２０によって開閉されることになる。可動障子２０を閉じた状態においては、可動障子２０の召合せとなる縦框（以下、区別する場合に召合せ框２４という）が、浴室側から見て固定障子３０の右側に配置される縦框（以下、区別する場合に固定障子３０の右縦框３５という）に対して見込み方向に並設された状態となる。右縦框３５の浴室に臨む見付け面には、召合せ框２４との間の止水を行う止水材３６が設けてある。
【００２８】
上枠１３、下枠１４、左右の縦枠１１，１２、上框２２，３２、下框２３，３３、左右の縦框２４，２５、３４，３５は、樹脂もしくはアルミニウム合金等の金属によって成形した押し出し形材であり、それぞれが長手方向の全長にわたってほぼ一様な断面形状を有するように構成してある。以下、可動障子２０及び枠体１０についてそれぞれの構成を詳述し、併せて本発明の特徴部分について説明を行う。
【００２９】
可動障子２０の縦框２４，２５は、見込み方向に沿った寸法（以下、見込み寸法という）に対して見付け方向に沿った寸法（以下、見付け寸法という）が小さい略矩形の断面を有した中空状を成すように構成してある。本実施の形態１では、見込み寸法の１／２よりわずかに小さい見付け寸法を有するように縦框２４，２５が構成してある。可動障子２０の上框２２及び下框２３は、それぞれ見込み寸法に対して見付け寸法がわずかに大きな縦長略矩形の断面を有した中空状を成している。これら可動障子２０の上框２２、下框２３及び左右の縦框２４，２５には、それぞれ見込み方向において浴室側に偏った位置に面材２１が取り付けてある。図中の符号２６は、面材２１において戸先側となる部位の両面から突出するように設けた可動障子２０の取手である。また、符号２７は、可動障子２０の下面に設けたトラックガイドである。このトラックガイド２７は、左右の縦框２４，２５から下框２３の長手方向に沿って連続するように設けてある。
【００３０】
浴室側から見て枠体１０の右側に配置される縦枠（以下、区別する場合に右縦枠１２という）は、見込み板１２ｂ、第１角筒部１２ｃ及び第２角筒部１２ｄを有して構成してある。見込み板１２ｂは、見込み方向に沿って延在したほぼ平板状を成す部分である。第１角筒部１２ｃは、見込み板１２ｂの浴室側に位置する端部から外周側に突出したもので、見込み板１２ｂとの間に断面が略矩形の中空部分を構成している。第２角筒部１２ｄは、見込み板１２ｂの脱衣室側に位置する端部から内周側に突出したもので、見込み板１２ｂとの間に断面が略矩形の中空部分を構成している。第２角筒部１２ｄにおいて浴室に臨む見付け面には、止水材３６に連続した止水材１５が設けてある。この止水材１５は、可動障子２０が枠開口１０Ａを閉じた場合に浴室側から見て可動障子２０の右側に配置される縦框（以下、区別する場合に可動障子２０の戸先框２５という）との間の止水を行うものである。
【００３１】
これに対して浴室側から見て枠体１０の左側に配置される縦枠（以下、区別する場合に左縦枠１１という）は、見込み板１１ｂ及び第１角筒部１１ｃを有する点で右縦枠１２と一致し、位置決め角筒部１１ｄを有する点で右縦枠１２と異なる。すなわち、左縦枠１１において見込み板１１ｂの脱衣室側に位置する端部には、第２角筒部１２ｄに換えて位置決め角筒部１１ｄが設けてある。位置決め角筒部１１ｄは、見込み板１１ｂにおいて最も脱衣室側に位置する端部から内周側に突出した断面が略矩形の中空部分である。
【００３２】
上述の可動障子２０は、左右の縦枠１１，１２に対して、第２角筒部１２ｄの浴室に臨む見付け面から第１角筒部１２ｃの浴室に臨む見付け面までの見込み範囲内に配置してある。左右方向においては、可動障子２０が枠開口１０Ａを閉じた場合に可動障子２０の戸先框２５が右縦枠１２の第２角筒部１２ｄと見込み方向に並設され、脱衣室側から見た場合に戸先框２５が第２角筒部１２ｄによって覆い隠されるように可動障子２０が配置してある。また、可動障子２０によって枠開口１０Ａを閉じた状態においては、脱衣室側から見た場合、可動障子２０の召合せ框２４が固定障子３０の右縦框３５によって覆い隠される。固定障子３０の左縦框３４は、位置決め角筒部１１ｄによって常時覆い隠された状態にある。
【００３３】
枠体１０の下枠１４は、第１水平延在部１４１、第１垂下延在部１４２、第２水平延在部１４３、傾斜延在部１４４、第２垂下延在部１４５を有したものである。第１水平延在部１４１は、下枠１４において脱衣室側に位置し、固定障子３０が載置される部分であり、見込み方向に沿ってほぼ水平に延在している。第１水平延在部１４１において固定障子３０の下框３３よりも脱衣室側に位置する部分には、固定ヒレ部１４６が設けてある。
【００３４】
第１垂下延在部１４２は、第１水平延在部１４１から下方に向けてほぼ鉛直に延在した部分である。この第１垂下延在部１４２には、溝ヒレ部１４７が設けてある。溝ヒレ部１４７は、第１水平延在部１４１よりもわずかに高さの低い位置から浴室側に向けてほぼ水平に突出した部分であり、突出端部の上面に止水材１５を備えている。止水材１５は、右縦枠１２の止水材１５と一連となるように設けたものである。
【００３５】
第２水平延在部１４３は、第１垂下延在部１４２の下端から浴室側に向けてほぼ水平に延在した部分である。この第２水平延在部１４３には、可動障子２０のトラックガイド２７に対応する部位にトラック１４８が設けてある。トラック１４８は、トラックガイド２７を介して可動障子２０の下框２３を移動可能に案内するもので、下枠１４の長手方向に沿って延在し、かつ第２水平延在部１４３の上面から突出した状態で第２水平延在部１４３に設けてある。傾斜延在部１４４は、第２水平延在部１４３の延在端部から浴室側に向けて漸次下方に傾斜したものである。第２垂下延在部１４５は、傾斜延在部１４４の延在端部から下方に向けてほぼ鉛直に延在した部分である。
【００３６】
枠体１０の上枠１３は、第１見付けヒレ部１３１、第１水平ヒレ部１３２、垂下ヒレ部１３３、ガイドヒレ部１３４、サブガイドヒレ部１３５、第２水平ヒレ部１３６、第２見付けヒレ部１３７を有して構成してある。第１見付けヒレ部１３１は、上枠１３においてもっとも脱衣室側に位置する部分であり、ほぼ鉛直となるように上方に延在した後、浴室側に向けて屈曲し、さらに鉛直上方に向けて延在している。第１見付けヒレ部１３１の下端部には、浴室に臨む見付け面に係合受溝部１３１ａが設けてある。第１見付けヒレ部１３１の下端は、可動障子２０における上框２２の下端２２ａとほぼ等しい高さとなるように構成してある。第１水平ヒレ部１３２は、第１見付けヒレ部１３１の上端部から浴室側に向けてほぼ水平となるように延在する部分であり、見込み寸法が固定障子３０よりも大きく構成してある。
【００３７】
垂下ヒレ部１３３は、第１水平ヒレ部１３２の延在端部から下方に向けてほぼ鉛直となるように延在した部分である。ガイドヒレ部１３４は、垂下ヒレ部１３３の下端から浴室側に向けてほぼ水平に延在した後、下方に向けてほぼ鉛直に延在した部分である。サブガイドヒレ部１３５は、ガイドヒレ部１３４の水平に延在する部分において垂下ヒレ部１３３に近接した部分から下方に向けてほぼ鉛直に延在した部分である。これらガイドヒレ部１３４及びサブガイドヒレ部１３５には、それぞれの下端に支持条部１３４ａ，１３５ａが設けてある。支持条部１３４ａ，１３５ａは、互いに対向する位置から互いに対向するように延在したもので、互いの延在端部間にガイド溝１３８を構成している。ガイド溝１３８は、下枠１４のトラック１４８に対向した位置に開口する切欠であり、上枠１３の長手方向に沿って延在している。このガイド溝１３８に設けたスライド部材Ｓを上框２２に連結することにより、上框２２が上枠１３の長手方向に沿って移動可能に案内されることになる。第２水平ヒレ部１３６は、ガイドヒレ部１３４の下端から浴室側に向けてほぼ水平に延在した部分である。第２見付けヒレ部１３７は、第２水平ヒレ部１３６の延在端部から上下方向に向けてほぼ鉛直に延在した部分である。第２見付けヒレ部１３７の下端は、可動障子２０における上框２２の下端２２ａとほぼ等しい高さに設定してある。
【００３８】
一方、上枠１３において枠開口１０Ａに対応する部位には、上枠本体ブロック部４０及び上枠カバー部（カバー部）５０が取り付けてある。上枠本体ブロック部４０は、上枠１３の第１水平ヒレ部１３２において浴室側となる部位から下方に突出したもので、浴室に臨む見付け面の下端部に装着溝４１を有するとともに、装着溝４１よりも下方となる部位に取付面部４２及び係止溝４３を有している。装着溝４１は、浴室側に向けて開口し、上枠１３の長手に沿って延在したものである。この装着溝４１には、右縦枠１２の止水材１５が一連となるように連続して装着してある。上枠本体ブロック部４０に装着した止水材１５は、可動障子２０が枠開口１０Ａを閉じた場合に可動障子２０の上框２２において脱衣室に臨む見付け面２２ｂに当接することにより、互いの間の止水を行う。取付面部４２は、装着溝４１から下方に向けて漸次脱衣室側に傾斜するように延在した平面である。取付面部４２には、上枠１３の長手に沿って適宜間隔を確保した複数位置にネジ孔４２ａが設けてある。係止溝４３は、取付面部４２よりも下方となる部位に設けたもので、浴室に向けて開口している。
【００３９】
上枠カバー部５０は、上枠１３の第１見付けヒレ部１３１と上枠本体ブロック部４０とを備えて構成される上枠本体部１３Ａの下面及び浴室に臨む開口を閉塞するものである。本実施の形態１では、見込みカバー部５１及び見付けカバー部５２を有した上枠カバー部５０を適用している。見込みカバー部５１は、見込み方向に沿ってほぼ水平に延在する平板状部分である。見込みカバー部５１の脱衣室側に位置する端部には、第１見付けヒレ部１３１の係合受溝部１３１ａに係合する係合突起５１ａが設けてある。見付けカバー部５２は、見込みカバー部５１の浴室側に位置する端部からほぼ鉛直上方に向けて延在した後、上方に向けて漸次脱衣室側に傾斜するように延在した部分である。
【００４０】
見込みカバー部５１の浴室側に位置する端部にはカバーヒレ部５１ｂが設けてあり、見付けカバー部５２の上端部には係止片部５３及び取付片部５４が設けてある。カバーヒレ部５１ｂは、浴室側に向けてほぼ水平に延在した部分である。係止片部５３は、見付けカバー部５２の上端縁から脱衣室側に向けてほぼ水平に延在した部分であり、上枠本体ブロック部４０の係止溝４３に挿入した場合に見込みカバー部５１の係合突起５１ａを第１見付けヒレ部１３１の係合受溝部１３１ａに係合させることができるように構成してある。取付片部５４は、見付けカバー部５２の上端縁から上方に向けて漸次浴室側に傾斜するように延在した後、浴室側に向けてほぼ水平に屈曲した部分である。この取付片部５４は、係止片部５３を上枠本体ブロック部４０の係止溝４３に挿入した場合に取付面部４２に当接するように構成してある。取付片部５４において取付面部４２のネジ孔４２ａに対応する部位には、それぞれネジ挿通孔５４ａが形成してある。
【００４１】
上述の構成を有する上枠カバー部５０は、係止片部５３を上枠本体ブロック部４０の係止溝４３に挿入するとともに、見込みカバー部５１の係合突起５１ａを第１見付けヒレ部１３１の係合受溝部１３１ａに係合させ、この状態から取付片部５４のネジ挿通孔５４ａを介して取付面部４２のネジ孔４２ａに取付ネジ５５を螺合することにより、上枠本体部１３Ａに対して着脱可能に取り付けてある。上枠本体部１３Ａに取り付けた上枠カバー部５０は、見込みカバー部５１の下面５１ｃが可動障子２０における上框２２の下端２２ａとほぼ等しい高さに配置され、見付けカバー部５２が上框２２の脱衣室に臨む見付け面２２ｂに対向するように並設されている。また、カバーヒレ部５１ｂは、上框２２に向けて突出し、上框２２に接触することなく上框２２との間の隙間を小さくするように機能している。
【００４２】
この上枠カバー部５０の見付けカバー部５２には、ブレーキ装置（開閉制御装置）６０が取り付けてある。ブレーキ装置６０は、可動障子２０を所定の位置まで閉じた場合に可動障子２０の上框２２に取り付けた係合ブロック６５に係合し、係合ブロック６５を介して可動障子２０に制動を加えるものである。本実施の形態１では、枠開口１０Ａの幅とほぼ等しい長さを有した装置本体６１と、装置本体６１に対して長手方向に移動可能に配設した係合受部６２とを備えたダンパー型のブレーキ装置６０を適用している。このブレーキ装置６０は、装置本体６１が上枠１３の長手方向に沿い、かつ係合受部６２が上枠カバー部５０に設けた開口５２ａを介して外部に露出するとともに、上框２２の脱衣室に臨む見付け面２２ｂに取り付けた係合ブロック６５に係合可能となる状態で上枠本体部１３Ａの内部に配設してある。
【００４３】
上記のように構成した建具によれば、開いた状態の可動障子２０を勢いよく閉じた場合にも、ブレーキ装置６０の係合受部６２が可動障子２０の係合ブロック６５に当接した以降に制動が加えられ、全閉位置に到達する以前に停止することになる。従って、可動障子２０が右縦枠１２に衝突する事態を防止することができる。
【００４４】
しかも、上述の建具においては、上枠１３の上枠本体部１３Ａに配設したブレーキ装置６０を上框２２の脱衣室に臨む見付け面２２ｂに取り付けた係合ブロック６５に係合させるようにしているため、上框２２から上方に突出するような部材を設ける必要がない。従って、枠体１０に対してケンドン式で可動障子２０を配設する場合にも、上枠１３に余分なスペースを確保する必要がなくなり、上枠１３の見付け寸法を増大させる必要がない。加えて、上枠カバー部５０に設けたカバーヒレ部５１ｂによって上框２２との間の隙間が小さくなるため、ブレーキ装置６０の係合受部６２や可動障子２０に設けた係合ブロック６５を外部から視認することが困難となり、外観品質を損なうおそれがない。
【００４５】
また、枠体１０と可動障子２０との間の四周に設けた止水材１５及び止水材３６に対して脱衣室側となる上枠本体部１３Ａにブレーキ装置６０を配設するようにしているため、浴室内の水や水蒸気がブレーキ装置６０に到達するおそれはなく、水や水蒸気の浸入に起因してブレーキ装置６０が故障する事態を招来することもない。さらに、上枠本体部１３Ａに対して着脱可能となる上枠カバー部５０にブレーキ装置６０を取り付けるようにしているため、上枠カバー部５０とともに容易に取り外すことが可能であり、メインテナンスを容易に行うことができるようになる。
【００４６】
なお、上述した実施の形態１では、第１見付けヒレ部１３１の下端及び上枠カバー部５０を可動障子２０における上框２２の下端２２ａとほぼ等しい高さに配置するようにしているため、脱衣室側から見た場合、上枠１３によって可動障子２０の上框２２が覆い隠されてスッキリとしたデザインとなり、外観品質を向上させることができる。同様の効果を奏するには、上枠１３の下端を上框２２の下端２２ａよりも引くい位置となるように構成すれば良い。しかしながら、本発明は、必ずしも上枠１３の下端を上框２２の下端２２ａ以下の高さとする必要はない。
【００４７】
（実施の形態２）
図６〜図１１は、本発明の実施の形態２である建具を示したものである。ここで例示する建具は、枠体７０及び障子８０を備え、実施の形態１と同様に脱衣室（第１の空間）と浴室（第２の空間）との間の出入口に設置されるものであり、実施の形態１とは、障子８０の移動態様が異なっている。枠体７０は、左右の縦枠７１，７２の上端部間に上枠７３を設けるとともに、縦枠７１，７２の下端部間に下枠７４を設けることによって矩形状に構成したものである。障子８０は、透明樹脂やガラス等の透光性を有した矩形状を成す面材８１と、面材８１の四周に装着した上框（障子８０の並設部分）８２、下框８３及び左右の縦框８４，８５とを備えて構成したものである。本実施の形態２では、一方の縦框２５の上端部及び下端部と、上枠７３及び下枠７４との間に設けたピボットヒンジ９１，９２を介して障子８０が枠体７０に対して回転可能に支持してある。すなわち、枠体７０に対して障子８０は、上下に沿ったヒンジ軸９１ａ，９２ａを中心として浴室側に突出するように開くことが可能である。
【００４８】
上枠７３、下枠７４、左右の縦枠７１，７２、上框８２、下框８３、左右の縦框８４，８５は、樹脂もしくはアルミニウム合金等の金属によって成形した押し出し形材であり、それぞれが長手方向の全長にわたってほぼ一様な断面形状を有するように構成してある。上枠７３、下枠７４及び左右の縦枠７１，７２は、互いに見込み寸法がほぼ同一であり、上框８２、下框８３及び左右の縦框８４，８５は、互いに見込み寸法がほぼ同一である。図からも明らかなように、本実施の形態２では、枠７１，７２，７３，７４の見込み寸法に対して框８２，８３，８４，８５の見込み寸法が１／３程度となるようにそれぞれが構成してある。
【００４９】
障子８０の上框８２及び下框８３は、それぞれ略正方形の断面を有した中空状を成している。これに対して障子８０の縦框８４，８５は、見込み寸法に対して見付け寸法が小さい略矩形の断面を有した中空状を成すように構成してある。本実施の形態２では、見込み寸法に対してほぼ２／５程度の見付け寸法を有するように縦框８４，８５が構成してある。これら上框８２、下框８３及び左右の縦框８４，８５には、それぞれ見込み方向において浴室側に偏った位置に面材８１が取り付けてある。図中の符号８６は、面材８１において戸先側となる部位の両面から突出するように設けた障子８０の取手である。
【００５０】
枠体７０の縦枠７１，７２は、基板部７１ａ，７２ａ、第１角筒部７１ｂ，７２ｂ及び第２角筒部７１ｃ，７２ｃを有したものである。基板部７１ａ，７２ａは、見込み方向に沿って延在したほぼ平板状を成す部分である。第１角筒部７１ｂ，７２ｂは、基板部７１ａ，７２ａの脱衣室側に位置する端部から内周側に突出したもので、基板部７１ａ，７２ａとの間に断面が略矩形の中空部分を構成している。第２角筒部７１ｃ，７２ｃは、基板部７１ａ，７２ａの浴室側に位置する端部から外周側に突出したもので、基板部７１ａ，７２ａとの間に断面が略矩形の中空部分を構成している。図からも明らかなように、第１角筒部７１ｂ，７２ｂは、見込み寸法及び見付け寸法がそれぞれ第２角筒部７１ｃ，７２ｃよりも大きく構成してある。第１角筒部７１ｂ，７２ｂの内周側に位置する見込み面の相互間隔は、縦框８４，８５の内周側に位置する見込み面の相互間隔よりもわずかに小さくなるように構成してある。また、第１角筒部７１ｂ，７２ｂの見付け寸法は、縦框８４，８５の見付け寸法よりも大きく構成してあり、第１角筒部７１ｂ，７２ｂの浴室に臨む見付け面から第２角筒部７１ｃ，７２ｃの浴室に臨む見付け面までの見込み寸法は、縦框８４，８５の見込み寸法よりも大きく構成してある。
【００５１】
上述の障子８０は、見込み方向においては、第１角筒部７１ｂ，７２ｂの浴室に臨む見付け面から第２角筒部７１ｃ，７２ｃの浴室に臨む見付け面までの間に収容されるように配置してある。左右方向においては、障子８０の縦框８４，８５がそれぞれ脱衣室側から見た場合に縦枠７１，７２の第１角筒部７１ｂ，７２ｂによって覆われるように配置してある。第１角筒部７１ｂ，７２ｂの浴室に臨む見付け面には、それぞれ障子８０の縦框８４，８５との間の止水を行う止水材７５が設けてある。
【００５２】
枠体７０の下枠７４は、水平延在部７４ａ及び傾斜延在部７４ｂを有したものである。水平延在部７４ａは、下枠７４において脱衣室側に位置する部分であり、見込み方向に沿ってほぼ水平に延在している。傾斜延在部７４ｂは、水平延在部７４ａの浴室側となる部分から浴室側に向けて漸次低くなるように傾斜した部分である。水平延在部７４ａと傾斜延在部７４ｂとの間には、縦枠７１，７２の止水材７５に連続した止水材７５が配設してある。この止水材７５は、障子８０の下框８３との間の止水を行うものである。下枠７４の傾斜延在部７４ｂには、その上面に下方軸受部９２ｂが設けてある。下方軸受部９２ｂは、障子８０の縦框８５から下方に突出した下方ヒンジ軸９２ａを回転可能に支持するものである。下方ヒンジ軸９２ａ及び下方軸受部９２ｂは、上述したピボットヒンジ９２を構成するものである。なお、水平延在部７４ａの下面及び傾斜延在部７４ｂの下面には、それぞれ中空部７４ｅ，７４ｆが構成してある。水平延在部７４ａには、中空部７４ｅ，７４ｆよりも脱衣室側となる延在端部に固定ヒレ部７４ｇが設けてある。
【００５３】
枠体７０の上枠７３は、互いに独立した上方上枠部７３Ａと下方上枠部（枠体１０の並設部分）７３Ｂとを備えたものである。これら上方上枠部７３Ａ及び下方上枠部７３Ｂは、互いの間に通気通路７３Ｃを確保した状態で左右の縦枠７１，７２の上端部間に取り付けてある。上方上枠部７３Ａは、縦枠７１，７２とほぼ同じ見込み寸法を有した部分であり、縦枠７１，７２の上端部に取り付けてある。本実施の形態２では、第１見付けヒレ部７３Ａ１、第１傾斜ヒレ部７３Ａ２、第１水平ヒレ部７３Ａ３、第２傾斜ヒレ部７３Ａ４、第２水平ヒレ部７３Ａ５、第２見付けヒレ部７３Ａ６を有して上方上枠部７３Ａが構成してある。
【００５４】
第１見付けヒレ部７３Ａ１は、上方上枠部７３Ａにおいて最も脱衣室側に位置する部分であり、ほぼ鉛直となるように上下方向に沿って延在している。上方上枠部７３Ａは、この第１見付けヒレ部７３Ａ１の下端７３Ａ１ａの位置が障子８０において上框８２の下端８２ａとほぼ同じ高さとなるように縦枠７１，７２に取り付けてある。第１傾斜ヒレ部７３Ａ２は、第１見付けヒレ部７３Ａ１の上端部から浴室側に向けてほぼ直角に屈曲した後、浴室側に向けて漸次上方となるように傾斜延在した部分である。第１傾斜ヒレ部７３Ａ２の上端部は、上方に向けて凸となるように湾曲している。第１水平ヒレ部７３Ａ３は、第１傾斜ヒレ部７３Ａ２の上端部から浴室側に向けてほぼ水平に延在した部分である。
【００５５】
第１傾斜ヒレ部７３Ａ２と第１水平ヒレ部７３Ａ３との間には、ポケット部７３Ａ７が設けてある。ポケット部７３Ａ７は、上框８２よりも脱衣室側に位置する部位において上方上枠部７３Ａの長手に沿って形成した下方に開口する凹部であり、その内部に換気制御弁９３を回転可能に収容している。換気制御弁９３は、通気通路７３Ｃを開閉するものである。
【００５６】
第２傾斜ヒレ部７３Ａ４は、第１水平ヒレ部７３Ａ３の延在端部から浴室側に向けてわずかに下方に傾斜した部分である。第２水平ヒレ部７３Ａ５は、第２傾斜ヒレ部７３Ａ４の延在端部から浴室側に向けてほぼ水平に延在した後、下方に向けて湾曲した部分である。第２見付けヒレ部７３Ａ６は、第２水平ヒレ部７３Ａ５の延在端部から上下に延在した部分である。第２見付けヒレ部７３Ａ６の上端部は、第１水平ヒレ部７３Ａ３を越えて上方に突出している。第２見付けヒレ部７３Ａ６の下端部は、第１見付けヒレ部７３Ａ１の上端よりも上方に位置する部分において終端となっている。
【００５７】
下方上枠部７３Ｂは、上方上枠部７３Ａよりも見込み寸法の小さい異形の中空状を成すもので、上方上枠部７３Ａの下方において第１水平ヒレ部７３Ａ３、第１見付けヒレ部７３Ａ１及び第２見付けヒレ部７３Ａ６から離隔した位置に取り付けてある。本実施の形態２では、下方底壁部７３Ｂ１、第１見付け壁部７３Ｂ２、傾斜壁部７３Ｂ３、突出壁部７３Ｂ４、第２見付け壁部７３Ｂ５、第３見付け壁部７３Ｂ６、上方底壁部７３Ｂ７を有して下方上枠部７３Ｂが構成してある。
【００５８】
下方底壁部７３Ｂ１は、見込み方向に沿ってほぼ水平に延在した部分である。下方上枠部７３Ｂは、この下方底壁部７３Ｂ１の下端７３Ｂ１ａの位置が障子８０において上框８２の下端８２ａとほぼ同じ高さとなるように縦枠７１，７２に取り付けてある。第１見付け壁部７３Ｂ２は、下方底壁部７３Ｂ１において脱衣室側に位置する端部からほぼ鉛直となるように上方に延在している。傾斜壁部７３Ｂ３は、第１見付け壁部７３Ｂ２の上端部から浴室側に向けて漸次上方となるように傾斜延在した部分である。この傾斜壁部７３Ｂ３は、傾斜角度が第１傾斜ヒレ部７３Ａ２とほぼ同じとなるように構成してあり、上方上枠部７３Ａの第１傾斜ヒレ部７３Ａ２との間にほぼ均一となる隙間７３Ｃ１が確保してある。この隙間７３Ｃ１は、第１見付けヒレ部７３Ａ１と第１見付け壁部７３Ｂ２との間に構成される下端の開口７３Ｃ０から浴室側に向けて漸次上方に傾斜するように延在し、上框８２の上端よりもさらに上方に達している。突出壁部７３Ｂ４は、傾斜壁部７３Ｂ３の上端部から浴室側に向けてわずかに下方に傾斜して延在した後、鉛直下方に向けて屈曲した部分である。突出壁部７３Ｂ４の延在端部は、上方上枠部７３Ａの第２見付けヒレ部７３Ａ６に対向する高さにあり、かつ上方上枠部７３Ａにおいて第２傾斜ヒレ部７３Ａ４の延在端部と見込み方向においてほぼ同等となる位置にある。互いに上下に位置する突出壁部７３Ｂ４と、上方上枠部７３Ａの第１水平ヒレ部７３Ａ３、第２傾斜ヒレ部７３Ａ４との間には、それぞれ傾斜壁部７３Ｂ３と上方上枠部７３Ａの第１傾斜ヒレ部７３Ａ２との間の隙間７３Ｃ１とほぼ等しい隙間７３Ｃ２が確保してある。この隙間７３Ｃ２は、上框８２の上方となる部位まで延在しており、傾斜壁部７３Ｂ３と上方上枠部７３Ａの第１傾斜ヒレ部７３Ａ２との間の隙間７３Ｃ１に連通することによって、脱衣室と浴室との間を連通する通気通路７３Ｃを構成している。
【００５９】
傾斜壁部７３Ｂ３と突出壁部７３Ｂ４との間には、弁座部７３Ｂ８が設けてある。弁座部７３Ｂ８は、上方に突出した後に浴室側に向けて屈曲した部分である。この弁座部７３Ｂ８は、図中の実線で示すように、上方上枠部７３Ａのポケット部７３Ａ７に設けた換気制御弁９３が自重によって垂下した場合に換気制御弁９３の先端部が浴室側から当接可能となる位置に設けてある。
【００６０】
第２見付け壁部７３Ｂ５は、下方底壁部７３Ｂ１において浴室側の端部から障子８０の上框８２と互いに並設されるように上方に向けてほぼ鉛直に延在した部分である。第２見付け壁部７３Ｂ５の上端部において上框８２に対向する部分には、縦枠７１，７２の止水材７５に連続した止水材７５が配設してある。この止水材７５は、障子８０の上框８２との間の止水を行うものである。第３見付け壁部７３Ｂ６は、第２見付け壁部７３Ｂ５の上端となる部分から浴室側に向けてほぼ水平に延在した後、上方に向けてほぼ鉛直に延在した部分である。上方底壁部７３Ｂ７は、第３見付け壁部７３Ｂ６の上端部から脱衣室側に向けてほぼ水平に延在した後、鉛直上方に向けて屈曲することによって突出壁部７３Ｂ４の下面に連結している。この上方底壁部７３Ｂ７には、突出壁部７３Ｂ４との間に軸受取付部７３Ｂ９が設けてある。軸受取付部７３Ｂ９は、障子８０の縦框８５から上方に突出した上方ヒンジ軸９１ａを回転可能に支持する上方軸受部９１ｂを取り付けるためのものである。上方ヒンジ軸９１ａ及び上方軸受部９１ｂは、上述したピボットヒンジ９１を構成するものである。
【００６１】
この下方上枠部７３Ｂには、オートクローズ装置（開閉制御装置）１００が取り付けてある。オートクローズ装置１００は、開いた障子８０を所定の位置まで閉じると、以降、手を離しても全閉位置まで障子８０を移動するように機能するものである。本実施の形態２では、箱状を成す装置本体１０１と、装置本体１０１の上面に回転可能に配設されたアーム１０２とを備えたオートクローズ装置１００を適用している。このオートクローズ装置１００は、アーム１０２が下方上枠部７３Ｂに設けた開口７３Ｂ５ａを介して外部に露出し、アーム１０２の先端部が上框８２の脱衣室に臨む見付け面８２ｂに取り付けた係合ピン１０３に係合可能となる状態で下方上枠部７３Ｂの内部に配設してある。
【００６２】
上記のように構成した建具によれば、開いた状態の障子８０を途中まで閉じると、図１０に示すように、アーム１０２の先端部に障子８０の係合ピン１０３が係合することになる。従って、その後に障子８０から手を離した場合にもオートクローズ装置１００の動作により、図１１に示すように、アーム１０２を介して障子８０が全閉位置まで閉じられることになる。
【００６３】
しかも、上述の建具においては、上枠７３の下方上枠部７３Ｂに配設したオートクローズ装置１００を上框８２の脱衣室に臨む見付け面８２ｂに取り付けた係合ピン１０３に係合させるようにしているため、上框８２から係合ピン１０３が上方に突出する事態を防止できる。従って、上枠７３に係合ピン１０３を収容するための余分なスペースを確保する必要がなくなり、上枠７３の見付け寸法が増大する事態を来すこともない。
【００６４】
さらに、枠体７０と障子８０との間の四周に設けた止水材７５に対して脱衣室側となる下方上枠部７３Ｂにオートクローズ装置１００を配設するようにしているため、浴室内の水や水蒸気がオートクローズ装置１００に到達するおそれはなく、水や水蒸気の浸入に起因してオートクローズ装置１００が故障する事態を招来することもない。
【００６５】
なお、上述した実施の形態２では、上枠７３の上方上枠部７３Ａと下方上枠部７３Ｂとの間に通気通路７３Ｃが構成してある。従って、障子８０を閉めた状態においても、例えば浴室内の換気扇を動作させれば、換気制御弁９３が開くことにより、通気通路７３Ｃを介して脱衣室の空気が浴室に送給されることになり、浴室の換気を行うことができる。しかしながら、本発明は上枠７３が必ずしも通気通路７３Ｃを有している必要はない。
【００６６】
また、上述した実施の形態２では、上方上枠部７３Ａにおいて脱衣室側で最も下方に配置される第１見付けヒレ部７３Ａ１の下端７３Ａ１ａ及び下方上枠部７３Ｂにおいて脱衣室側で最も下方に配置される下方底壁部７３Ｂ１の下端７３Ｂ１ａが、それぞれ障子８０における上框８２の下端８２ａとほぼ同じ高さとなるように設定してある。従って、この建具によれば、脱衣室から見た場合、障子８０の上框８２が上方上枠部７３Ａ及び下方上枠部７３Ｂによって覆い隠され、視認することが困難となる。しかも、脱衣室の天井Ｃに対して第１見付けヒレ部７３Ａ１の下端７３Ａ１ａがほぼ同等の高さとなるように枠体７０を取り付ければ、脱衣室からは第１見付けヒレ部７３Ａ１がごくわずか視認できる程度となり、上枠７３の上方上枠部７３Ａや下方上枠部７３Ｂを視認することも困難となる。これらの結果、複数の部材が露出されることなく、非常にスッキリした外観となり、外観品質上きわめて有利となる。しかしながら、本発明は、必ずしも上枠７３の下端を上框８２の下端以下の高さに配置する必要はない。なお、実施の形態２においても実施の形態１と同様に、下方底壁部７３Ｂ１において浴室側に位置する端部から浴室に向けてほぼ水平に延在するようにカバーヒレ部を設けても良い。
【００６７】
さらに、上述した実施の形態１及び実施の形態２では、いずれも浴室と脱衣室の間の出入口に設置される建具を例示しているが、必ずしも浴室と脱衣室との間を仕切るものに限らない。また、上述した実施の形態１ではブレーキ装置を備えた建具を例示し、実施の形態２ではオートクローズ装置を備えた建具を例示しているが、その他の開閉制御装置を備えた建具にも同様に適用することが可能である。
【００６８】
またさらに、上述した実施の形態１及び実施の形態２では、枠体において障子の並設部分に並設される部分に開閉制御装置を配設するようにしているが、本発明はこれに限定されず、開閉制御装置が障子の見付け面に係合しさえすれば、枠体において障子の見付け面に非対向となる部分に開閉制御装置を配設するようにしても良い。
【符号の説明】
【００６９】
１０，７０  枠体、１３，７３  上枠、１３Ａ  上枠本体部、１５，３６，７５  止水材、２０  可動障子、２２，８２  上框、２２ａ，８２ａ  下端、２２ｂ，８２ｂ  見付け面、４０  上枠本体ブロック部、５０  上枠カバー部、５１ｂ  カバーヒレ部、５２  見付けカバー部、５２ａ  開口、６０  ブレーキ装置、６１  装置本体、６２  係合受部、６５  係合ブロック、７３Ｂ  下方上枠部、７３Ｂ５  第２見付け壁部、７３Ｂ５ａ  開口、８０  障子、１００  オートクローズ装置、１０１  装置本体、１０２  アーム、１０３  係合ピン
【図１】
0006595955.tif 000002
【図２】
0006595955.tif 000003
【図３】
0006595955.tif 000004
【図４】
0006595955.tif 000005
【図５】
0006595955.tif 000006
【図６】
0006595955.tif 000007
【図７】
0006595955.tif 000008
【図８】
0006595955.tif 000009
【図９】
0006595955.tif 000010
【図１０】
0006595955.tif 000011
【図１１】
0006595955.tif 000012